(57)【特許請求の範囲】
【請求項１】
ヘルメット（Ｈ）の下周端を折り返して形成されたリブ（Ｌ）を挟むように断面略Ｕ字状に折り曲げた挟持部（１）を形成し、この挟持部（１）の内側端（１ａ）に、前記リブ（Ｌ）の内壁とヘルメット（Ｈ）の外壁（Ｈａ）により形成されたリブ溝（Ｌａ）に嵌まる屈曲部（２）を形成し、さらにヘルメット（Ｈ）の外壁（Ｈａ）をその先端部で押圧すると共に、ヘルメット（Ｈ）の外壁（Ｈａ）との間に空間部（Ｓ）を形成するようにした係止部（４）を形成した一枚の弾性板からなることを特徴とするリブ付ヘルメットの保護具用保持クリップ。
【請求項２】
前記挟持部（１）を前記リブ（Ｌ）に押し当てると共に、前記屈曲部（２）を前記リブ溝（Ｌａ）に押し込むことにより、前記挟持部（１）が前記リブ（Ｌ）を挟み、前記屈曲部（２）が前記リブ溝（Ｌａ）に嵌まり、さらに前記係止部（４）の先端部が前記外壁（Ｈａ）を押圧した状態で、前記弾性板がヘルメット（Ｈ）に取り付けられるようにしたことを特徴とする請求項１記載のリブ付ヘルメットの保護具用保持クリップ。
【請求項３】
前記係止部（４）に装着孔（６）を設けたことを特徴とする請求項１または２記載のリブ付ヘルメットの保護具用保持クリップ。
【発明の詳細な説明】
【０００１】
【発明の属する技術分野】
この発明は、工場や建築現場等で使用される防塵用のゴーグルや防災・耐熱用のフェイスシールド等の保護具をリブ付ヘルメットから外れ落ちないように止めておくための保持クリップに関するものである。
【０００２】
【従来の技術】
従来、工場や建築現場等で使用される防塵用のゴーグルや防災・耐熱用のフェイスシールド等の保護具は、作業者が通常着用している防災ヘルメットに着脱自在として取り付けられている。すなわち、このような保護具は、通常は作業者が着用している防災ヘルメットから外されており、塗装作業や溶接作業等の特定の作業をするときのみ防災ヘルメットと併用される。そして、このような保護具を防災ヘルメットと併用する場合には、防災ヘルメットからその保護具が外れ落ちないように、保持クリップによって防災ヘルメットに取り付けている。
【０００３】
ところで、作業者が着用している防災ヘルメットには、通常「ＭＰ型」と称されるものが存在するが、近年ヘルメットの強度性を高めるため、ヘルメットの下周端を折り返してリブを形成したリブ付ヘルメットが広く用いられている。
【０００４】
「ＭＰ型」と称されるヘルメットでは、ヘルメットの下周端が折り返されていないため、この部分は出っ張ることなく前記保護具をこのヘルメットから外れ落ちないようにしておくための保持クリップは、金属板を単に折り曲げた挟持部によってヘルメットの下周端に安定して取り付けられた状態を維持することができる。
【０００５】
ところが、リブ付ヘルメットでは、ヘルメットの下周端が折り返されているため、この部分が出っ張り、前記保護具の保持クリップは、金属板を単に折り曲げた挟持部だけではヘルメットの下周端を堅固に挟持することができず、挟持部に締付け用ネジを取り付け、このネジを締め付けることにより、ヘルメットの下周端に安定して取り付けられた状態を維持することができるようにしている。
【０００６】
また、リブ付ヘルメットの保護具用保持クリップとしては、金属板を単に折り曲げるのではなく、例えば特許第２７４１１５１号公報に示された図９のようなうな、基部２１の下端を水平方向に折り曲げて張出部２２とし、さらにこの張出部２２の突端から基部２１の内面側に略半円状に折り曲げて湾曲部２３とした保持部２４を形成したものとし、ヘルメットの下周端を折り返して形成したリブの外周に添わせて取り付けるようにしたものが存在する。
【０００７】
【発明が解決しようとする課題】
しかしながら、上記ヘルメットの保護具用保持クリップでは、リブ付ヘルメットの下周端に安定して取り付けられた状態を維持するには、挟持部に締付け用ネジを取り付けなければならず、このネジを締め付ける操作が面倒であるという課題を有していた。
【０００８】
また、上記リブ付ヘルメットの保護具用保持クリップでは、基部２１の下端に形成した保持部２４を、ヘルメットの下周端を折り返して形成したリブの外周に添わせているだけであるので、このリブによるヘルメットの下周端からの出っ張り幅が標準のものより小さかったり大きかったりすると保持力にばらつきが生じ、リブ付ヘルメットの下周端に安定して取り付けられた状態を維持することができないという課題を有していた。
【０００９】
そこで、この発明は、上記従来の課題を解決するものであり、リブ付ヘルメットの保護具用保持クリップにおいて、ネジを締め付けるというような面倒な操作をしないでも、またリブによるヘルメットの下周端からの出っ張り幅が標準のものより小さかったり大きかったりしても、ヘルメットの下周端に安定して取り付けられた状態を維持することができる保護具用保持クリップを提供することを目的としてなされたものである。
【００１０】
【課題を解決するための手段】
そのため、この発明のリブ付ヘルメットの保護具用保持クリップは、ヘルメットＨの下周端を折り返して形成されたリブＬを挟むように断面略Ｕ字状に折り曲げた挟持部１を形成し、この挟持部１の内側端１ａに、前記リブＬの内壁とヘルメットＨの外壁Ｈａにより形成されたリブ溝Ｌａに嵌まる屈曲部２を形成し、さらにヘルメットＨの外壁Ｈａをその先端部で押圧すると共に、ヘルメットＨの外壁Ｈａとの間に空間部Ｓを形成するようにした係止部４を形成した一枚の弾性板からなるものとしている。
そして、この発明のリブ付ヘルメットの保護具用保持クリップは、前記挟持部１を前記リブＬに押し当てると共に、前記屈曲部２を前記リブ溝Ｌａに押し込むことにより、前記挟持部１が前記リブＬを挟み、前記屈曲部２が前記リブ溝Ｌａに嵌まり、さらに前記係止部４の先端部が前記外壁Ｈａを押圧した状態で、前記弾性板がヘルメットＨに取り付けられるようにしている。
【００１１】
さらに、この発明のリブ付ヘルメットの保護具用保持クリップは、前記係止部４に装着孔６を設けたものとしている。
【００１２】
【発明の実施の形態】
以下、この発明のリブ付ヘルメットの保護具用保持クリップの実施の形態を、図面に基づいて詳細に説明する。
【００１３】
図１、２は、この発明のリブ付ヘルメットの保護具用保持クリップＣの第一の実施の形態を示し、図３、４は、この発明のリブ付ヘルメットの保護具用保持クリップＣの第二の実施の形態を示している。何れの実施の形態においても、この発明のリブ付ヘルメットの保護具用保持クリップは、一枚の弾性板からなり、図２、４に示すように、ヘルメットＨの下周端に形成されたリブＬを挟むように断面略Ｕ字状に折り曲げた挟持部１を形成し、この挟持部１の内側端１ａに、前記リブＬの内壁とヘルメットＨの外壁Ｈａにより形成されたリブ溝Ｌａに嵌まる屈曲部２を形成し、さらにこの屈曲部２に移行部３を介して、ヘルメットＨの外壁Ｈａをその先端部で押圧すると共に、ヘルメットＨの外壁Ｈａとの間に空間部Ｓを形成するようにした係止部４を一体として形成したものとしている。
【００１４】
弾性板としては、通常、薄鋼板が使用されるが、合成樹脂板としてもよい。そして、挟持部１の外側端１ｂには、補強用のリブ５を設けることができ、係止部４の先端には湾曲部４ａを設けたものとしている。
【００１５】
さらに、この発明のリブ付ヘルメットの保護具用保持クリップの第二の実施の形態においては、前記係止部４に装着孔６を設けたものとしている。
【００１６】
以上のように構成されるこの発明の保護具用保持クリップは、挟持部１または係止部４を指で摘まみ、挟持部１をヘルメットＨの両側部近辺のリブＬに押し当てると共に、屈曲部２をヘルメットＨのリブ溝Ｌａに押し込むだけで、前記図２、４に示したように、挟持部１がヘルメットＨのリブＬを挟み、屈曲部２がヘルメットＨのリブ溝Ｌａに嵌まり、さらに係止部４の先端部がヘルメットＨの外壁Ｈａを押圧した状態でヘルメットＨに取り付けられるので、ヘルメットＨの下周端に安定して取り付けられた状態を維持することができる。なお、リブＬによるヘルメットの下周端からの出っ張り幅Ｗが標準のものより小さかったり大きかったりしても、前記係止部４の先端部はヘルメットＨの外壁Ｈａを押圧した状態となっているので、この発明の保護具用保持クリップは、ヘルメットＨの下周端に安定して取り付けられた状態を維持することができる。
【００１７】
そして、このような状態でこの発明の保護具用保持クリップが取り付けられたヘルメットＨには、次のようにしてゴーグルＧが取り付けられたり、フェイスシールドＦが取り付けられる。
【００１８】
ゴーグルＧは、図５、６に示したように、その装着バンド１１をヘルメットＨの下周部に装着すると共に、保護具用保持クリップＣの空間部Ｓに挿入し、係止部４の湾曲部４ａの内側に引っ掛けておくことにより、ヘルメットＨに取り付けておけば、ヘルメットＨを着用しての作業中にゴーグルＧが外れ落ちることがない。
【００１９】
フェイスシールドＦは、図７、８に示したように、保護具用保持クリップＣの装着孔６にフェイスシールドＦの上端取付枠１２の止めネジ１３をねじ込むことにより、ヘルメットＨに取り付けておけば、ヘルメットＨを着用しての作業中にフェイスシールドＦが外れ落ちることがない。
【００２０】
【発明の効果】
この発明のリブ付ヘルメットの保護具用保持クリップは、以上に述べたように構成されているので、ネジを締め付けるというような面倒な操作をしないでも、またリブによるヘルメットの下周端からの出っ張り幅が標準のものより小さかったり大きかったりしても、ヘルメットの下周端に安定して取り付けられた状態を維持することができるものとなった。
【図面の簡単な説明】
【図１】この発明のリブ付ヘルメットの保護具用保持クリップの第一の実施の形態を示す斜視図である。
【図２】図１に示す保護具用保持クリップをリブ付ヘルメットに取り付けた状態を示す断面図である。
【図３】この発明のリブ付ヘルメットの保護具用保持クリップの第二の実施の形態を示す斜視図である。
【図４】図３に示す保護具用保持クリップをリブ付ヘルメットに取り付けた状態を示す断面図である。
【図５】図１に示す保護具用保持クリップを取り付けたリブ付ヘルメットにゴーグルを装着した状態を示す斜視図である。
【図６】図５示す保護具用保持クリップの湾曲部の内側とゴーグルの装着バンドとの引っ掛かり具合を示す断面図である。
【図７】図３に示す保護具用保持クリップを取り付けたリブ付ヘルメットにフェイスシールドを装着した状態を示す斜視図である。
【図８】図７示す保護具用保持クリップの係止部とフェイスシールドの上端取付枠とのネジ止め具合を示す断面図である。
【図９】従来のリブ付ヘルメットの保護具用保持クリップを示す斜視図である。
【符号の説明】
１  挟持部
１ａ  内側端
２  屈曲部
４  係止部
６  装着孔
Ｈ  ヘルメット
Ｈａ  外壁
Ｌ  リブ
Ｌａ  リブ溝
Ｓ  空間部
【図１】
0004470076.tif 000002
【図２】
0004470076.tif 000003
【図３】
0004470076.tif 000004
【図４】
0004470076.tif 000005
【図５】
0004470076.tif 000006
【図６】
0004470076.tif 000007
【図７】
0004470076.tif 000008
【図８】
0004470076.tif 000009
【図９】
0004470076.tif 000010